(57)【要約】  ネットワークスライス制御方法及び装置、コンピュータ読み取り可能な記憶媒体である。該ネットワークスライス制御方法は、サービス品質要件に基づいてベアラネットワーク内に確立されたネットワークスライスを、異なるサービス品質の前記ネットワークスライスを異なるユーザネットワークインタフェース又は仮想サブインタフェースにバインディングするように、前記ベアラネットワークのユーザネットワークインタフェース又は仮想サブインタフェースにバインディングし、前記ベアラネットワークにおける第１のネットワークスライスが、非ベアラネットワークのネットワークスライスグループと同一のユーザネットワークインタフェース又は仮想サブインタフェースにバインディングされている場合、前記第１のネットワークスライスのサービス品質は、前記ネットワークスライスグループのサービス品質と一致するステップを含む。
2021530912.tif 000002
【特許請求の範囲】
【請求項１】
サービス品質要件に基づいてベアラネットワーク内に確立されたネットワークスライスを、異なるサービス品質の前記ネットワークスライスを異なるユーザネットワークインタフェース又は仮想サブインタフェースにバインディングするように、前記ベアラネットワークのユーザネットワークインタフェース又は仮想サブインタフェースにバインディングし、前記ベアラネットワークにおける第１のネットワークスライスが、非ベアラネットワークのネットワークスライスグループと同一のユーザネットワークインタフェース又は仮想サブインタフェースにバインディングされている場合、前記第１のネットワークスライスのサービス品質は、前記ネットワークスライスグループのサービス品質と一致するステップを含むネットワークスライス制御方法。
【請求項２】
前記ネットワークスライスグループのトラフィックフローを受信し、前記トラフィックフローを、前記ネットワークスライスグループと同一のユーザネットワークインタフェース又は仮想サブインタフェースにバインディングされた前記第１のネットワークスライスに送信するステップをさらに含む、請求項１に記載のネットワークスライス制御方法。
【請求項３】
前記トラフィックフローを、前記ネットワークスライスグループと同一のユーザネットワークインタフェース又は仮想サブインタフェースにバインディングされた前記第１のネットワークスライスに送信する前記ステップは、
前記トラフィックフローを、このトラフィックフローを受信するユーザネットワークインタフェースにバインディングされた前記第１のネットワークスライスに送信するステップを含む、請求項２に記載のネットワークスライス制御方法。
【請求項４】
前記トラフィックフローを、前記ネットワークスライスグループと同一のユーザネットワークインタフェース又は仮想サブインタフェースにバインディングされた前記第１のネットワークスライスに送信する前記ステップは、
前記トラフィックフローに搬送された仮想ローカルエリアネットワーク情報及び前記トラフィックフローを受信するユーザネットワークインタフェースに基づいて、前記ネットワークスライスグループがバインディングされる仮想サブインタフェースを決定し、前記トラフィックフローを、前記ネットワークスライスグループと同一の仮想サブインタフェースにバインディングされた前記第１のネットワークスライスに送信するステップを含む、請求項２に記載のネットワークスライス制御方法。
【請求項５】
前記トラフィックフローを、前記ネットワークスライスグループと同一のユーザネットワークインタフェース又は仮想サブインタフェースにバインディングされた前記第１のネットワークスライスに送信する前記ステップは、
前記トラフィックフローに搬送された第１の情報を取得し、前記第１の情報に対応する内部仮想サブインタフェースを前記ネットワークスライスグループがバインディングされる仮想サブインタフェースとし、前記トラフィックフローを前記内部仮想サブインタフェースにバインディングされた第１のネットワークスライスに送信するステップを含む、請求項２に記載のネットワークスライス制御方法。
【請求項６】
前記第１の情報は、仮想ローカルエリアネットワーク優先度、差分サービスコードポイント優先度、ソースインターネットプロトコルアドレス、宛先インターネットプロトコルアドレスの少なくとも１つを含む、請求項５に記載のネットワークスライス制御方法。
【請求項７】
非ベアラネットワークのネットワークスライスグループを、ベアラネットワークのユーザネットワークインタフェース又は仮想サブインタフェースにバインディングし、前記ネットワークスライスグループのサービス品質は、前記ベアラネットワークにおいてこのユーザネットワークインタフェース又は仮想サブインタフェースにバインディングされた第１のネットワークスライスのサービス品質と一致するステップを含む、ネットワークスライス制御方法。
【請求項８】
前記ネットワークスライスグループがバインディングされたユーザネットワークインタフェース又は仮想サブインタフェースに基づいて、前記ネットワークスライスグループのトラフィックフローを前記ベアラネットワークに送信するステップをさらに含む、請求項７に記載のネットワークスライス制御方法。
【請求項９】
前記ネットワークスライスグループがバインディングされたユーザネットワークインタフェース又は仮想サブインタフェースに基づいて、前記ネットワークスライスグループのトラフィックフローを前記ベアラネットワークに送信する前記ステップは、
前記ネットワークスライスグループのトラフィックフローを、前記ネットワークスライスグループがバインディングされた物理ポートに送信するか、又は、
前記ネットワークスライスグループのトラフィックフロー内で、前記ネットワークスライスグループがバインディングされた仮想サブインタフェースを示すローカルエリアネットワーク情報を搬送し、前記トラフィックフローを前記ベアラネットワークに送信するか、又は、
前記ネットワークスライスグループのトラフィックフロー内で、前記仮想サブインタフェースと対応関係を持つ第１の情報を搬送し、前記トラフィックフローを前記ベアラネットワークに送信し、前記ネットワークスライスグループのサービス品質は、前記第１の情報に対応する仮想サブインタフェースがバインディングされた第１のネットワークスライスのサービス品質と一致するステップを含む、請求項８に記載のネットワークスライス制御方法。
【請求項１０】
前記第１の情報は、仮想ローカルエリアネットワーク優先度、差分サービスコードポイント優先度、ソースインターネットプロトコルアドレス、宛先インターネットプロトコルアドレスの少なくとも１つを含む、請求項９に記載のネットワークスライス制御方法。
【請求項１１】
メモリと、プロセッサとを備え、前記メモリは、前記プロセッサによって読み出されて実行されると、請求項１〜１０のいずれか一項に記載のネットワークスライス制御方法を実現するためのプログラムを記憶したネットワークスライス制御装置。
【請求項１２】
請求項１〜１０のいずれか一項に記載のネットワークスライス制御方法を実現するために、１つ又は複数のプロセッサで実行可能な１つ又は複数のプログラムを記憶したコンピュータ読み取り可能な記憶媒体。
【発明の詳細な説明】
【技術分野】
【０００１】
本願は、出願番号が２０１８１０７６９５２０．７、出願日が２０１８年０７月１３日の中国特許出願に基づいて提案されたものであり、当該中国特許出願の優先権を主張しており、当該中国特許出願の全内容は参照として本願に組み込まれている。
【０００２】
本願は、ネットワーク技術分野に関し、特にネットワークスライス制御方法及び装置、コンピュータ読み取り可能な記憶媒体に関するが、これらに限定されない。
【背景技術】
【０００３】
５Ｇ（５ｔｈ  Ｇｅｎｅｒａｔｉｏｎ、第５世代）トラフィックは、マルチシーン、差別化の特徴を示しており、たとえば、モバイルインターネットトラフィックは帯域幅に注目を集めており、自動運転トラフィックは低遅延と高信頼性が必要とされ、ＩｏＴトラフィックは膨大な接続数をサポートしなければならない。これに対して、５Ｇの無線アクセスネットワーク及びコアネットワークの両方が機能再構成を行い、トラフィックのタイプに応じて機器処理ユニットの物理的配置位置を変更し、スライスにより同一の物理ネットワーク上で異なるタイプのトラフィックに対して独立したエンドツーエンドの論理ネットワークを構築する。
【０００４】
また、５Ｇはオープンネットワークであり、垂直業界やリーストラフィック向けの応用の需要を提供することができ、５Ｇベアラネットワークは５Ｇエンドツーエンドのトラフィック経路の一部であり、したがって、ベアラネットワークは５Ｇスライスのトラフィック分離と独立した運営維持の需要をサポートして、異なるタイプのトラフィックに異なるベアラネットワークスライスを割り当てる必要がある。
【０００５】
ネットワークスライスとは、仮想化技術を利用して、共有されている物理ネットワークリソース上に複数の仮想ネットワークを作成することであり、スライスとも呼ばれる。ネットワークスライスは、異なるタイプのベアラトラフィック又は異なるテナントに応じて、物理ネットワークを対応する仮想ネットワークにスライスすることができ（たとえば、行政機関の顧客、ホーム顧客、及び５ＧのｅＭＢＢ（Ｅｎｈａｎｃｅ  Ｍｏｂｉｌｅ  Ｂｒｏａｄｂａｎｄ、エンハンスモバイルブロードバンド）トラフィック、ｕＲＬＬＣ（Ｕｌｔｒａ-Ｒｅｌｉａｂｌｅ  ａｎｄ  Ｌｏｗ-Ｌａｔｅｎｃｙ  Ｃｏｍｍｕｎｉｃａｔｉｏｎｓ、低遅延・高信頼通信）トラフィック、ｍＭＴＣ（ｍａｓｓｉｖｅ  ｍａｃｈｉｎｅ  ｔｙｐｅ  ｏｆ  ｃｏｍｍｕｎｉｃａｔｉｏｎ大規模なマシンタイプの通信）トラフィックに応じてスライスする）、それによって、異なるタイプのトラフィックの需要を満たす。
【発明の概要】
【０００６】
本願の少なくとも１つの実施例では、ネットワークスライス制御方法及び装置、コンピュータ読み取り可能な記憶媒体を提供し、それにより、スライス相互接続を達成する。
【０００７】
本願の少なくとも１つの実施例では、
サービス品質要件に基づいてベアラネットワーク内に確立されたネットワークスライスを、異なるサービス品質の前記ネットワークスライスを異なるユーザネットワークインタフェース又は仮想サブインタフェースにバインディングするように、前記ベアラネットワークのユーザネットワークインタフェース又は仮想サブインタフェースにバインディングし、前記ベアラネットワークにおける第１のネットワークスライスが、非ベアラネットワークのネットワークスライスグループと同一のユーザネットワークインタフェース又は仮想サブインタフェースにバインディングされている場合、前記第１のネットワークスライスのサービス品質は、前記ネットワークスライスグループのサービス品質と一致するステップを含む、ネットワークスライス制御方法を提供する。
【０００８】
本願の少なくとも１つの実施例では、
非ベアラネットワークのネットワークスライスグループを、ベアラネットワークのユーザネットワークインタフェース又は仮想サブインタフェースにバインディングし、前記ネットワークスライスグループのサービス品質は、前記ベアラネットワークにおいてこのユーザネットワークインタフェース又は仮想サブインタフェースにバインディングされた第１のネットワークスライスのサービス品質と一致するステップを含む、ネットワークスライス制御方法を提供する。
【０００９】
本願の少なくとも１つの実施例では、メモリと、プロセッサとを備え、前記メモリは、前記プロセッサによって読み出されて実行されると、いずれかの実施例に記載のネットワークスライス制御方法を実現するためのプログラムを記憶した、ネットワークスライス制御装置を提供する。
【００１０】
本願の少なくとも１つの実施例では、いずれかの実施例に記載のネットワークスライス制御方法を実現するために、１つ又は複数のプロセッサで実行可能な１つ又は複数のプログラムを記憶した、コンピュータ読み取り可能な記憶媒体を提供する。
【００１１】
本願の少なくとも１つの実施例では、ネットワークスライスは、ユーザネットワークインタフェース又は仮想サブインタフェースにバインディングされ、同一のユーザネットワークインタフェースにバインディングされたネットワークスライスのサービス品質が一致し、それにより、スライス相互接続が達成され、トラフィックのエンドツーエンドＱｏＳ（Ｑｕａｌｉｔｙ  ｏｆ  Ｓｅｒｖｉｃｅ、サービス品質）属性が確保される。
【００１２】
本願の他の特徴及び利点は、後の明細書で説明され、明細書から部分的に明らかになるか、又は本願を実施することによって理解される。本願の目的及び他の利点は、明細書、特許請求の範囲及び図面において特に指摘されている構造によって達成・利用可能である。
【００１３】
図面は、本願の技術案をさらに理解するために提供するものであり、明細書の一部を構成し、本願の実施例とともに本願の技術案を解釈するために使用され、本願の技術案に対する制限を構成しない。
【図面の簡単な説明】
【００１４】
【図１】図１は本願の一実施例によって提供されるネットワークスライス制御方法のフローチャートである。
【図２】図２は本願の別の実施例によって提供されるネットワークスライス制御方法のフローチャートである。
【図３ａ】図３ａは本願の一実施例によって提供されるネットワークアーキテクチャ図である。
【図３ｂ】図３ｂは本願の一実施例によって提供されるネットワークスライス制御の模式図である。
【図４】図４は本願の一実施例によって提供されるネットワークスライス制御（ポートマッピング方式）の模式図である。
【図５】図５は本願の一実施例によって提供されるネットワークスライス制御（ＶＬＡＮマッピング方式）の模式図である。
【図６】図６は本願の一実施例によって提供されるネットワークスライス制御（内部仮想サブインタフェース方式）の模式図である。
【図７】図７は本願の一実施例によって提供されるネットワークスライス制御の模式図である。
【図８】図８は本願の一実施例によって提供されるネットワークスライス制御装置のブロック図である。
【図９】図９は本願の一実施例によって提供されるネットワークスライス制御装置のブロック図である。
【発明を実施するための形態】
【００１５】
本願の目的、技術案及び利点をより明瞭にするために、以下は図面に従って本願の実施例を詳しく説明する。なお、矛盾しない限り、本願の実施例および実施例に記載された構成要素は、互いに任意に組み合わせることができる。
【００１６】
図面のフローチャートに示されたステップは、１セットのコンピュータ実行可能命令などのコンピュータシステムにおいて実行され得る。また、論理的順序はフローチャートに示されているが、場合によっては、示されている又は説明されているステップは、本明細書の順序とは異なる順序で実行されてもよい。
【００１７】
図１に示すように、本願の一実施例は、ステップ１０１を含むネットワークスライス制御方法を提供する。
【００１８】
ステップ１０１において、サービス品質要件に基づいてベアラネットワーク内に確立されたネットワークスライスを、異なるサービス品質の前記ネットワークスライスを異なるＵＮＩ又は仮想サブインタフェースにバインディングするように、前記ベアラネットワークのＵＮＩ（Ｕｓｅｒ  Ｎｅｔｗｏｒｋ  Ｉｎｔｅｒｆａｃｅ、ユーザネットワークインタフェース）又は仮想サブインタフェースにバインディングし、前記ベアラネットワークにおける第１のネットワークスライスが、非ベアラネットワークのネットワークスライスグループと同一のＵＮＩ又は仮想サブインタフェースにバインディングされている場合、前記第１のネットワークスライスのサービス品質は、前記ネットワークスライスグループのサービス品質と一致する。
【００１９】
上記バインディング関係は、コントローラ又はネットワークシステムによって設定することができる。ネットワークスライスがＵＮＩ又は仮想サブインタフェースにバインディングされている場合、ネットワークスライスは、そのＵＮＩ又は仮想サブインタフェースを介してトラフィックフローを送信する（トラフィックフローを送受信する）ことを示す。
【００２０】
本実施例では、ネットワークスライスのＱｏＳ関連は、トラフィックのエンドツーエンドＱｏＳ属性を確保するために、同一のＵＮＩ又は仮想サブインタフェースにバインディングされることによって達成される。
【００２１】
ＵＮＩは物理ポートであり、仮想サブインタフェースは２種類あり、１つは物理ポートの下に区分された仮想サブインタフェースであり、たとえば、ＶＬＡＮ方式によって区分された仮想ローカルエリアネットワークインタフェース（すなわち物理ポート＋ＶＬＡＮ（Ｖｉｒｔｕａｌ  Ｌｏｃａｌ  Ａｒｅａ  Ｎｅｔｗｏｒｋ、仮想ローカルエリアネットワーク））であり、もう１つはベアラ機器内部の仮想サブインタフェースであり、機器内部の仮想インタフェースであり、一般にＶＬＡＮ方式で区分し、異なるＶＬＡＮのトラフィックは異なる仮想サブインタフェースに対応する。
【００２２】
非ベアラネットワークは、たとえば、無線ネットワーク又はコアネットワークである。
ステップ１０１において、サービス品質要件に基づいてベアラネットワーク内にネットワークスライスを確立することは、サービス品質要件を満たす１つ又は複数のネットワークスライスをそれぞれ確立することを含む。たとえば、ＱｏＳ１を満たす第１のスライスを確立し、ＱｏＳ２を満たす第２のスライスを確立する。
【００２３】
前記ネットワークスライスグループは、同じサービス品質を有する１つ又は複数のネットワークスライスを含む。
【００２４】
一実施例では、前記方法は、ステップ１０２をさらに含む。
ステップ１０２において、前記第２のネットワークスライスのトラフィックフローを受信し、前記トラフィックフローを、前記ネットワークスライスグループと同一のＵＮＩ又は仮想サブインタフェースにバインディングされた前記第１のネットワークスライスに送信する。
【００２５】
一実施例では、前記ネットワークスライスグループがＵＮＩにバインディングされている場合、前記ステップ１０２において、前記トラフィックフローを、前記ネットワークスライスグループと同一のＵＮＩ又は仮想サブインタフェースにバインディングされた第１のネットワークスライスに送信することは、前記トラフィックフローを、このトラフィックフローを受信するユーザネットワークインタフェースにバインディングされた前記第１のネットワークスライスに送信することを含む。
【００２６】
一実施例では、前記ステップ１０２において、前記トラフィックフローを前記第２のネットワークスライスと同一のＵＮＩ又は仮想サブインタフェースにバインディングされた第１のネットワークスライスに送信することは、前記トラフィックフローに搬送された仮想ローカルエリアネットワーク（ＶＬＡＮ）情報、及び前記トラフィックフローを受信するＵＮＩに基づいて、前記ネットワークスライスグループがバインディングされる仮想サブインタフェースを決定し、前記トラフィックフローを、前記ネットワークスライスグループと同一の仮想サブインタフェースにバインディングされた第１のネットワークスライスに送信することを含む。このとき、仮想サブインタフェースはＵＮＩ＋ＶＬＡＮであり、したがって、トラフィックフローに搬送されたＶＬＡＮ情報に基づいて、バインディングされた第１のネットワークスライスを決定することができる。
【００２７】
一実施例では、前記トラフィックフローを、前記第２のネットワークスライスと同一のＵＮＩ又は仮想サブインタフェースにバインディングされた第１のネットワークスライスに送信することは、前記トラフィックフローに搬送された第１の情報を取得し、前記第１の情報に対応する内部仮想サブインタフェースを、前記ネットワークスライスグループがバインディングされる仮想サブインタフェースとし、前記トラフィックフローを、この内部仮想サブインタフェースにバインディングされた第１のネットワークスライスに送信することを含み、ここで、前記ネットワークスライスグループのサービス品質は、前記第１の情報に対応する内部仮想サブインタフェースにバインディングされた第１のネットワークスライスのサービス品質と一致する。
【００２８】
本実施例では、ネットワークスライスは、機器内部の仮想サブインタフェースにバインディングされ、第１の情報と内部仮想サブインタフェースによってマッピングされ、第１の情報はトラフィックフローに搬送され、第１の情報に基づいてバインディングされる内部仮想サブインタフェースが決定される。このとき、ベアラネットワークにおける機器は、ローカルに記憶された第１の情報と内部仮想サブインタフェースとのマッピング関係テーブルから、トラフィックフローに搬送された第１の情報に対応する内部仮想サブインタフェースを決定することができる。ベアラネットワークにおける機器は、たとえばＰＥ（Ｐｒｏｖｉｄｅｒ  Ｅｄｇｅ、プロバイダーエッジルーター）である。
【００２９】
たとえば、前記第１の情報は、ＶＬＡＮ優先度、ＤＳＣＰ（Ｄｉｆｆｅｒｅｎｔｉａｔｅｄ  Ｓｅｒｖｉｃｅｓ  Ｃｏｄｅ  Ｐｏｉｎｔ、差分サービスコードポイント）優先度、ソースＩＰ（Ｉｎｔｅｒｎｅｔ  Ｐｒｏｔｏｃｏｌ、インターネットプロトコル）アドレス、宛先ＩＰアドレスの少なくとも１つを含む。なお、これは一例に過ぎず、第１の情報は他の情報であってもよい。
【００３０】
図２に示すように、本願の一実施例は、ステップ２０１を含むネットワークスライス制御方法を提供する。
【００３１】
ステップ２０１において、第２のネットワークのネットワークスライスグループを、ベアラネットワークのＵＮＩ又は仮想サブインタフェースにバインディングし、前記ネットワークスライスグループのサービス品質は、前記ベアラネットワークにおいてＵＮＩ又は仮想サブインタフェースにバインディングされた第１のネットワークスライスのサービス品質と一致する。
【００３２】
バインディング関係の設定は、第２のネットワークのネットワーク管理者又はコントローラによって行うことができ、ネットワークスライスグループがあるＵＮＩ又は仮想サブインタフェースにバインディングされることは、このネットワークスライスグループのトラフィックフローが、対応するＵＮＩ又は仮想サブインタフェースを介して送信されることを表す。
【００３３】
一実施例では、前記方法は、ステップ２０２をさらに含む。ステップ２０２において、前記ネットワークスライスグループがバインディングされたＵＮＩ又は仮想サブインタフェースに基づいて、前記ネットワークスライスグループのトラフィックフローをベアラネットワークに送信する。
【００３４】
ネットワークスライスグループのトラフィックフローをベアラネットワークに送信するには、バインディング方式に応じて複数の方法があり、
ポートマッピング方式の場合、トラフィックフローは、ネットワークスライスグループがバインディングされた物理ポートに送信される。
【００３５】
ＶＬＡＮマッピング方式の場合、ＶＬＡＮ情報は、トラフィックフローに搬送され（このＶＬＡＮ情報は、バインディングされた仮想サブインタフェースを示し、すなわち、バインディングされた仮想サブインタフェースは、ポート＋トラフィックフローに搬送されたＶＬＡＮ情報である）、次に、トラフィックフローは、バインディングされたポートに送信され（バインディングされたのはポート＋ＶＬＡＮであり、このとき対応するポートに送信される）、ベアラネットワークの機器は、このトラフィックフローを受信した後、トラフィックフローに搬送されたＶＬＡＮ情報に基づいて、対応するベアラネットワークのネットワークスライスに送信する。
【００３６】
第１の情報のマッピング方式としては、以下の２種類を含むことができる。
たとえば、第１の情報はＶＬＡＮ優先度であってもよく、ＶＬＡＮ優先度はトラフィックフローに搬送され、トラフィックフローはこのＶＬＡＮ優先度に対応する内部仮想サブインタフェースにバインディングされた第１のネットワークスライスに送信される。
【００３７】
また、たとえば、第１の情報は、ソースＩＰアドレスであり、ソースＩＰアドレスはトラフィックフローに搬送され、トラフィックフローはこのソースＩＰアドレスに対応する内部仮想サブインタフェースにバインディングされた第１のネットワークスライスに送信される。
【００３８】
一実施例では、ステップ２０２において、前記ネットワークスライスグループがバインディングされたＵＮＩ又は仮想サブインタフェースに基づいて、前記ネットワークスライスグループのトラフィックフローをベアラネットワークに送信することは、以下のうちの１つを含むことができる。
【００３９】
あるいは、前記ネットワークスライスグループのトラフィックフローを、前記ネットワークスライスグループがバインディングされたＵＮＩに送信する。
【００４０】
あるいは、前記ネットワークスライスグループがバインディングされた仮想サブインタフェースを示す仮想ローカルエリアネットワーク情報を、前記ネットワークスライスグループのトラフィックフローに搬送し、前記トラフィックフローを前記ベアラネットワークに送信し、このとき、バインディングされるのはポート＋ＶＬＡＮであり、ＶＬＡＮ情報はトラフィックフローに搬送されているので、ポート＋ＶＬＡＮ（トラフィックフローに搬送された）にバインディングされた第１のネットワークスライスを見つけ、トラフィックフローを第１のネットワークスライスに送信すればよい。ベアラネットワーク機器は、設定されたネットワークスライスと仮想サブインタフェースとのバインディング情報に基づいて、バインディングされた第１のネットワークスライスを決定することができる。
【００４１】
あるいは、前記仮想サブインタフェースと対応関係を持つ第１の情報を、前記ネットワークスライスグループのトラフィックフローに搬送し、前記トラフィックフローを前記ベアラネットワークに送信し、ここで、前記ネットワークスライスグループのサービス品質は、前記第１の情報に対応する仮想サブインタフェースにバインディングされた第１のネットワークスライスのサービス品質と一致する。このとき、ベアラネットワーク機器は、トラフィックフローを受信した後、トラフィックフローに搬送された第１の情報に基づいて対応する内部仮想サブインタフェースを見つけ、その後、トラフィックフローをこの内部仮想サブインタフェースに対応する第１のネットワークスライスに送信する。ベアラネットワーク機器は、ローカルに記憶された第１の情報と内部仮想サブインタフェースとのマッピング関係テーブルから、トラフィックフローに搬送された第１の情報に対応する内部仮想サブインタフェースを決定することができる。
【００４２】
たとえば、前記第１の情報は、ＶＬＡＮ優先度、ＤＳＣＰ優先度、ソースＩＰアドレス、宛先ＩＰアドレスの少なくとも１つを含む。なお、これは一例に過ぎず、第１の情報は他の情報であってもよい。
【００４３】
図３ａは、本願の一実施例によって提供されるネットワーク模式図である。図３ａに示すように、５Ｇネットワークにおいて、ベアラネットワークは、ＲＡＮ（Ｒａｄｉｏ  Ａｃｃｅｓｓ  Ｎｅｔｗｏｒｋ、無線アクセスネットワーク）、ホームブロードバンド（家庭内広帯域）／大規模クライアントからコアネットワークへのＮＧＣ（Ｎｅｘｔ  Ｇｅｎｅｒａｔｉｏｎ  Ｃｏｒｅ、次世代コアネットワーク）、ＭＥＣ（Ｍｏｂｉｌｅ  Ｅｄｇｅ  Ｃｏｍｐｕｔｉｎｇ、モバイルエッジコンピューティング）、ＢＲＡＳ（Ｂｒｏａｄｂａｎｄ  Ｒｅｍｏｔｅ  Ａｃｃｅｓｓ  Ｓｅｒｖｅｒ、ブロードバンドリモートアクセスサーバー）などの統合伝送路を確立する。
【００４４】
異なるタイプのトラフィックの需要を満たすために、５Ｇの無線アクセスネットワークとコアネットワークはともに機能再構成を行い、スライス方式により同一の物理ネットワーク上に異なる仮想サブネットワークを構築し、図３ｂに示すように、無線アクセスネットワーク上にＲＡＮスライスグループ３１、ＲＡＮスライスグループ３２などを確立し、コアネットワーク（Ｃｏｒｅ  Ｎｅｔｗｏｒｋ、略称ＣＮ）上にＣＮスライスグループ３３、ＣＮスライスグループ３４などを確立する。ベアラネットワークは、これらのスライスを適切な方式で関連付けて接続し、トラフィックのエンドツーエンドＱｏＳ属性を確保する。ベアラネットワークにベアラスライス３５（ＱｏＳ１を満たす）を確立してポート＋ＶＬＡＮ１にバインディングし、ベアラスライス３６（ＱｏＳ２を満たす）を確立してポート＋ＶＬＡＮ２にバインディングする。
【００４５】
本実施例では、各スライスグループがバインディングされた仮想サブインタフェースは以下のとおりである。
【００４６】
ＲＡＮスライスグループ３１は、ポート＋ＶＬＡＮ１にバインディングされ、ＱｏＳ１を満たす。
【００４７】
ＲＡＮスライスグループ３２は、ポート＋ＶＬＡＮ２にバインディングされ、ＱｏＳ２を満たす。
【００４８】
ＣＮスライスグループ３３は、ポート＋ＶＬＡＮ１にバインディングされ、ＱｏＳ１を満たす。
【００４９】
ＣＮスライスグループ３４は、ポート＋ＶＬＡＮ２にバインディングされ、ＱｏＳ２を満たす。
【００５０】
このように、ＲＡＮスライスグループ３１のトラフィックフローは、ポート＋ＶＬＡＮ１にバインディングされたベアラスライス３５に送信され、両方のＱｏＳが一致し、トラフィックのエンドツーエンドＱｏＳ要件を満たす。ここで、図３ｂのＰＥ  ３０５は、図３ａの無線ネットワークに接続されたプロバイダーエッジルータ３０１、プロバイダーエッジルータ３０２などのプロバイダーエッジルータであってもよく、ＰＥ  ３０６は、図３ａのコアネットワークに接続されたプロバイダーエッジルータ３０３、プロバイダーエッジルータ３０４などのプロバイダーエッジルータであってもよい。
【００５１】
図４は、本願の一実施例によって提供されるポート方式のネットワークスライス制御の模式図である。無線ネットワークには、無線スライスグループ４１（ＱｏＳ１を満たす）、無線スライスグループ４２（ＱｏＳ２を満たす）、及び無線スライスグループ４３（ＱｏＳ３を満たす）が含まれており、ベアラネットワークにおいて、ＱｏＳ要件に基づいて、ベアラスライス４４（ＱｏＳ１を満たす）、ベアラスライス４５（ＱｏＳ２を満たす）、及びベアラスライス４６（ＱｏＳ３を満たす）は作成され、これらのうち、無線スライスグループ４１はポート１（ポート１は物理ポートである）にバインディングされ、ＱｏＳ１を満たすベアラスライス４４もポート１にバインディングされ、同様に、無線スライスグループ４２とベアラスライス４５はポート２（ポート２は物理ポートである）にバインディングされ、無線スライスグループ４３とベアラスライス４６はポート３（ポート３は物理ポートである）にバインディングされる。無線ネットワークのスライスの顆粒度が低いためである。無線スライスごとに伝送のＱｏＳ要件属性について無線スライスを分類することができ、同じＱｏＳ属性の無線スライスは、１つのスライスグループにまとめて同じＵＮＩからトラフィックを送受信する。このように、無線ネットワーク側スライスグループは、トラフィック属性要件に応じて、対応するＵＮＩを選択してベアラネットワークにアクセスされ、それにより、トラフィックのＱｏＳ属性が確保される。たとえば、無線ネットワークにおいて、無線スライスグループ４１のトラフィックフローはポート１に送信され、ベアラネットワークはポート１からトラフィックフローを受信した後、それをポート１にバインディングされたベアラスライス４４に送信し、それにより、トラフィックフローのＱｏＳ属性を満たす。なお、本願では、スライスグループは１つのネットワークスライスのみを含むこともでき、たとえば、無線ネットワークスライスグループは１つの無線スライスのみを含み、コアネットワークスライスグループは１つのコアネットワークスライスのみを含む。
【００５２】
図５は本願の一実施例によって提供されるポート＋ＶＬＡＮマッピング方式の模式図である。図５に示すように、本実施例では、無線ネットワークには、無線スライスグループ５１（ＱｏＳ１を満たす）、無線スライスグループ５２（ＱｏＳ２を満たす）、及び無線スライスグループ５３（ＱｏＳ３を満たす）が含まれており、ベアラネットワークにおいて、ＱｏＳ要件に基づいて、ベアラスライス５４（ＱｏＳ１を満たす）、ベアラスライス５５（ＱｏＳ２を満たす）、及びベアラスライス５６（ＱｏＳ３を満たす）は作成され、これらのうち、無線スライスグループ５１はポート１＋ＶＬＡＮ１バインディングされ、ＱｏＳ１を満たすベアラスライスもポート１＋ＶＬＡＮ１にバインディングされ、同様に、無線スライスグループ５２とベアラスライス５５はポート１＋ＶＬＡＮ２にバインディングされ、無線スライスグループ５３とベアラスライス５６はポート１＋ＶＬＡＮ３にバインディングされ、トラフィックのＱｏＳ要件に基づいて、無線スライスグループ５１のトラフィックフロー内でＶＬＡＮ情報（すなわちバインディングされたＵＮＩ、ここではＶＬＡＮ１）が搬送され、このトラフィックフローがポート１に送信され、ベアラネットワークはポート１からトラフィックフローを受信した後、それに搬送されたＶＬＡＮ情報に基づいて、トラフィックフローをＶＬＡＮ１にバインディングされたベアラスライス５４に伝送し、それにより、トラフィックフローのＱｏＳ属性が満たされる。
【００５３】
別の実施例では、無線などのトラフィックは、トラフィックフローＶＬＡＮ優先度方式でベアラスライスにマッピングされ得、ベアラネットワークにおいて、トラフィックの需要に応じて、異なるＱｏＳ要件のベアラスライスが作成され、異なるポート＋ＶＬＡＮがバインディングされる。無線側トラフィックフローにはＶＬＡＮがあり、対応する８０２．１ｐ優先度（つまりＶＬＡＮ優先度）が含まれており、ベアラ機器（たとえばＰＥ）は、ＡＣＬ（Ａｃｃｅｓｓ  Ｃｏｎｔｒｏｌ  Ｌｉｓｔ、アクセスコントロールリスト）などの方式でトラフィックフロー内の８０２．１ｐ優先度を認識し、メッセージをフィルタリングすることができ、異なるＶＬＡＮ優先度のメッセージは、機器の対応する内部仮想サブインタフェースに送信され、この内部仮想サブインタフェースにはベアラスライスがバインディングされ、ＰＥはＶＬＡＮ優先度に応じて対応するベアラスライスを選択することができ、それによって、トラフィックのＱｏＳ属性が確保される。同様のステップを使用すると、無線トラフィックはまた、トラフィックフロー内のソースＩＰアドレス、ＤＳＣＰ優先度、宛先ＩＰアドレスなどの分類方式によって、対応するベアラスライスにマッピングされ得る。
【００５４】
図６に示すように、本実施例では、無線ネットワークには、無線スライスグループ６１（ＱｏＳ１を満たす）、無線スライスグループ６２（ＱｏＳ２を満たす）、及び無線スライスグループ６３（ＱｏＳ３を満たす）とが含まれており、ベアラネットワークにおいて、ＱｏＳ要件に基づいて、ベアラスライス６４（このスライスはＱｏＳ１を満たす）、ベアラスライス６５（このスライスはＱｏＳ２を満たす）、及びベアラスライス６６（このスライスはＱｏＳ３を満たす）は作成され、これらのうち、無線スライスグループ６１は、内部仮想サブインタフェース６０１にバインディングされ、ＱｏＳ１を満たすベアラスライスも、内部仮想サブインタフェース６０１にバインディングされ、同様に、無線スライスグループ６２とベアラスライス６５は仮想サブインタフェース６０２にバインディングされ、無線スライスグループ６３とベアラスライス６６は仮想サブインタフェース６０３にバインディングされ、ＶＬＡＮ優先度１は仮想サブインタフェース６０１に対応し、ＶＬＡＮ優先度２は仮想サブインタフェース６０２に対応し、ＶＬＡＮ優先度３は仮想サブインタフェース６０３に対応する。無線スライスグループ６１のトラフィックフローについては、無線スライスグループ６１がバインディングされたＵＮＩ、及び対応するＶＬＡＮ優先度であるＶＬＡＮ優先度１に基づいて、ＶＬＡＮ優先度１はトラフィックフローに搬送され、このトラフィックフローは、ベアラネットワークのポートに送信され、ベアラネットワークは、ポートからトラフィックフローを受信した後、トラフィックフローを分類して処理し、具体的には、トラフィックフローに搬送されたＶＬＡＮ優先度に従ってトラフィックフローを対応する仮想サブインタフェースに伝送し、本実施例では、トラフィックフローに搬送されたＶＬＡＮ優先度１に従って、トラフィックを内部仮想サブインタフェース６０１に伝送し、次に、トラフィックフローを仮想サブインタフェース６０１にバインディングされたベアラスライス６４に伝送し、それによって、トラフィックフローのＱｏＳ属性が満たされる。
【００５５】
図７は、本願の別の実施例によって提供されるネットワークスライス相互接続方法の模式図であり、本例では、Ｌ３ＶＰＮ（Ｌａｙｅｒ  ３  Ｖｉｒｔｕａｌ  Ｐｒｉｖａｔｅ  Ｎｅｔｗｏｒｋ、レイヤー３仮想プライベートネットワーク）のベアラスライス方式を使用し、他のベアラスライス方式（たとえば、ＦｌｅｘＥ（Ｆｌｅｘ  Ｅｔｈｅｒｎｅｔ、フレックスイーサネット（Ｅｔｈｅｒｎｅｔ、イーサネットは登録商標））チャネル、ＯＤＵｋ（Ｏｐｔｉｃａｌ  Ｃｈａｎｎｅｌ  Ｄａｔａ  Ｕｎｉｔ−ｋ、光チャネルデータユニット）などに基づくスライス）は同様であり、詳しく説明しない。
【００５６】
無線スライスとＬ３ＶＰＮスライスは１対１の関係ではなく、同じ伝送ＱｏＳ要件の複数の無線スライスは１つの無線スライスグループとして集約され、対応するＱｏＳの同じＬ３ＶＰＮベアラスライスにベアラすることができ、異なるＱｏＳ要件の相互接続は異なるＬ３ＶＰＮスライスにベアラする必要があり、これにより、トラフィックのエンドツーエンドのＱｏＳ要件が確保される。
【００５７】
図７に示すように、無線側のトラフィックの需要に基づいて、ベアラネットワーク上にＬ３ＶＰＮ１スライスが作成され、このスライスにより使用されるトンネル（ｔｕｎｎｅｌ）１は、ＱｏＳ１属性要件を満たし、Ｌ３ＶＰＮ１スライスは、仮想サブインタフェースとしてポート＋ＶＬＡＮ１にバインディングされ、対応するポートのＩＰアドレスはＩＰ１、ＩＰ２である。
【００５８】
ベアラネットワーク上にＬ３ＶＰＮ２スライスが作成され、このスライスにより使用されるトンネル２（ｔｕｎｎｅｌ２）はＱｏＳ２属性要件を満たし、Ｌ３ＶＰＮ２スライスは仮想サブインタフェースとしてポート＋ＶＬＡＮ２にバインディングされ、対応するポートＩＰアドレスはＩＰ３、ＩＰ４である。
【００５９】
無線ネットワーク上にトラフィック属性要件がＱｏＳ１である無線スライスグループ１．１が作成され、この無線スライスグループ１．１はポート＋ＶＬＡＮ１にバインディングされ、したがって、無線スライスグループ１．１のトラフィック外層にＶＬＡＮ１がカプセル化される。
【００６０】
無線ネットワーク上にトラフィック属性要件がＱｏＳ２である無線スライスグループ２．１が作成され、この無線スライスグループ２．１はポート＋ＶＬＡＮ２にバインディングされ、したがって、無線スライスグループ２．１のトラフィック外層にＶＬＡＮ２がカプセル化される。
【００６１】
コアネットワーク上にトラフィック属性要件がＱｏＳ１であるコアネットワークスライスグループ１．２が作成され、このコアネットワークスライスグループ１．２はポート＋ＶＬＡＮ１にバインディングされ、したがって、このコアネットワークスライスグループ１．２のトラフィック外層にＶＬＡＮ１がカプセル化される。
【００６２】
コアネットワーク上にトラフィック属性要件がＱｏＳ２であるコアネットワークスライスグループ２．２が作成され、このスライスグループ２．２はポート＋ＶＬＡＮ２にバインディングされ、したがって、このコアネットワークスライスグループ２．２のトラフィック外層にＶＬＡＮ２がカプセル化される。
【００６３】
上記設定が完了すると、無線側の無線スライスグループ１．１とコアネットワーク側のコアネットワークスライスグループ１．２は、ＱｏＳ１を満たすベアラスライスＬ３ＶＰＮ１により相互接続され、エンドツーエンドのトラフィックＱｏＳ要件を満たす。無線側の無線スライスグループ２．１とコアネットワーク側のコアネットワークスライスグループ２．２は、ＱｏＳ２を満たすベアラスライスＬ３ＶＰＮ２により相互接続される。
【００６４】
本願の実施例はまた、ネットワークスライス制御装置を提供し、図８に示すように、この装置は、サービス品質要件に基づいてベアラネットワーク内に確立されたネットワークスライスを、異なるサービス品質の前記ネットワークスライスを異なるユーザネットワークインタフェース又は仮想サブインタフェースにバインディングするように、前記ベアラネットワークのＵＮＩ又は仮想サブインタフェースにバインディングするように構成されるスライスマッピングモジュール８０１を備え、前記ベアラネットワークにおける第１のネットワークスライスが、非ベアラネットワークのネットワークスライスグループと同一のユーザネットワークインタフェース又は仮想サブインタフェースにバインディングされている場合、前記第１のネットワークスライスのサービス品質は、前記ネットワークスライスグループのサービス品質と一致する。
【００６５】
ここで、無線などのトラフィックフローはベアラネットワークトラフィックの方式でコアネットワークなどのトラフィックエンドポイントに伝送されるが、パケット伝送の主要なトラフィックモデルはＬ２ＶＰＮとＬ３ＶＰＮである。Ｌ２ＶＰＮの場合、ベアラスライス及びＡＣ（Ａｔｔａｃｈｍｅｎｔ  Ｃｉｒｃｕｉｔ、接続回路）ポートとＰＷ（Ｐｓｅｕｄｏ−Ｗｉｒｅ、擬似ワイヤ）とのバインディングが行われ、ＡＣポートは物理ポート又は物理ポート＋ＶＬＡＮであってもよく、ＰＷはＬＳＰ（Ｌａｂｅｌ  Ｓｗｉｔｃｈ  Ｐａｔｈ、ラベルスイッチパス）上にバインディングされてもよく、その底層が独立した物理リンク又はＦｌｅｘＥサブチャネルであるか、又はＯＤＵｋ上にベアラされる。Ｌ３ＶＰＮの場合、ベアラスライスとＵＮＩポート又は仮想サブインタフェースとのバインディングが行われ、利用可能なＬＳＰトンネルが選択され、ＬＳＰは、独立した物理リンク又はＦｌｅｘＥサブチャネル、ＯＤＵｋなどにベアラされ得る。
【００６６】
一実施例では、前記装置は、前記ネットワークスライスグループのトラフィックフローを受信し、前記トラフィックフローを、前記ネットワークスライスグループと同一のＵＮＩ又は仮想サブインタフェースにバインディングされた第１のネットワークスライスに送信するように構成されるトラフィック伝送制御モジュール８０２をさらに備える。
【００６７】
一実施例では、前記ネットワークスライスグループがバインディングされた前記ユーザネットワークインタフェースは物理ポートであり、前記トラフィック伝送制御モジュール８０２は、前記トラフィックフローを、このトラフィックフローを受信する物理ポートにバインディングされた前記第１のネットワークスライスに送信するように構成される。ここで、次の２つの場合が含まれてもよい。
【００６８】
あるいは、前記トラフィックフローに搬送された仮想ローカルエリアネットワーク情報、及び前記トラフィックフローを受信するユーザネットワークインタフェースに基づいて、前記ネットワークスライスグループがバインディングされた仮想サブインタフェースを決定し、前記トラフィックフローを、前記ネットワークスライスグループと同一の仮想サブインタフェースにバインディングされた前記第１のネットワークスライスに送信する。
【００６９】
あるいは、前記トラフィックフローに搬送された第１の情報を取得し、前記第１の情報に対応する内部仮想サブインタフェースを、前記ネットワークスライスグループがバインディングされる仮想サブインタフェースとし、前記トラフィックフローを、前記内部仮想サブインタフェースにバインディングされた第１のネットワークスライスに送信する。
【００７０】
図９に示すように、本願の一実施例は、ネットワークスライス制御装置９０を提供し、このネットワークスライス制御装置９０は、メモリ９１０と、プロセッサ９２０とを備え、前記メモリ９１０は、プロセッサ９２０によって読み出されて実行されると、いずれかの実施例に記載のネットワークスライス制御方法を実現するプログラムを記憶している。
【００７１】
本願の実施例は、いずれかの実施例に記載のネットワークスライス制御方法を実現するために、１つ又は複数のプロセッサで実行可能な１つ又は複数のプログラムを記憶したコンピュータ読み取り可能な記憶媒体を提供する。
【００７２】
前記コンピュータ読み取り可能な記憶媒体は、ＵＳＢメモリ、読み出し専用メモリ（ＲＯＭ、Ｒｅａｄ−Ｏｎｌｙ  Ｍｅｍｏｒｙ）、ランダム・アクセス・メモリ（ＲＡＭ、Ｒａｎｄｏｍ  Ａｃｃｅｓｓ  Ｍｅｍｏｒｙ）、リムーバブルハードディスク、磁気ディスクや光ディスクなど、プログラムコードを記憶できる様々な媒体を含む。
【００７３】
本明細書に開示された方法のステップの全部又は一部、システム、装置の機能モジュール／ユニットの全部又は一部が、ソフトウェア、ファームウェア、ハードウェア、及びそれらの適切な組み合わせとして実現され得ることを当業者は理解する。ハードウェアの実施形態では、上述した機能モジュール／ユニット間の分割は、必ずしも物理的コンポーネントの分割に対応するとは限らず、たとえば、１つの物理的コンポーネントが複数の機能を有してもよく、又は、１つの機能又はステップが、複数の物理的コンポーネントによって協働して実行されてもよい。いくつかのコンポーネント又はすべてのコンポーネントは、デジタル信号プロセッサ又はマイクロプロセッサのようなプロセッサによって実行されるソフトウェアとして、又はハードウェアとして、又は特定用途向け集積回路のような集積回路として実装され得る。そのようなソフトウェアは、コンピュータ記憶媒体（又は非一時的媒体）及び通信媒体（又は一時的媒体）を含むことができるコンピュータ読み取り可能な媒体上に分散することができる。当業者に周知のように、コンピュータ記憶媒体という用語は、情報（たとえばコンピュータ読み取り可能な命令、データ構造、プログラムモジュール、又は他のデータ）を記憶するためのいずれかの方法又は技術において実施される揮発性及び不揮発性、取り外し可能、及び取り外し不可能な媒体を含む。コンピュータ記憶媒体は、ＲＡＭ、ＲＯＭ、ＥＥＰＲＯＭ、フラッシュメモリ又は他のメモリ技術、ＣＤ−ＲＯＭ、デジタル多用途ディスク（ＤＶＤ）又は他の光ディスク記憶装置、磁気カセット、磁気テープ、磁気ディスク記憶装置又は他の磁気記憶装置、又は所望の情報を記憶できるとともにコンピュータによってアクセス可能な他の任意の媒体を含むが、これらに限定されない。さらに、通信媒体は、通常、コンピュータ読み取り可能な命令、データ構造、プログラムモジュール、又は搬送波又は他の送信機構のような変調データ信号中の他のデータを含み、任意の情報転送媒体を含むことができることは、当業者にとって周知である。
【００７４】
本願で開示されている実施形態は上記のように開示されたが、前記内容は、本願の理解を容易にするために採用された実施例に過ぎず、本願を限定するものではない。当業者であれば、本願で開示されている趣旨及び範囲を逸脱することなく、実施形態及び詳細について如何なる修正及び変更を行うこともできるが、本願の特許保護の範囲は、添付の特許請求の範囲に定められた範囲に準じるものとする。
【図１】
2021530912.tif 000003
【図２】
2021530912.tif 000004
【図３ａ】
2021530912.tif 000005
【図３ｂ】
2021530912.tif 000006
【図４】
2021530912.tif 000007
【図５】
2021530912.tif 000008
【図６】
2021530912.tif 000009
【図７】
2021530912.tif 000010
【図８】
2021530912.tif 000011
【図９】
2021530912.tif 000012
【国際調査報告】
2021530912.tif 000013
2021530912.tif 000014
2021530912.tif 000015
2021530912.tif 000016